(57)【要約】【課題】  バルコニーユニットにおいて、床枠に十分なフレーム剛性を確保するとともに、バルコニーの床レベルを下げること。【解決手段】  下階建物ユニット１０Ａの上部に設置されるバルコニーユニット２０Ａにおいて、下階建物ユニット１０Ａの天井梁１３の上部に搭載される四周床枠３０を角パイプ３１、３２で形成し、角パイプ３１の下面であって、下階建物ユニット１０Ａの天井梁１３より広幅の下面に床小梁の端部を固定し、角パイプ３１の上面に手摺壁パネル４０を立てたもの。【選択図】  図３
2008088666.tif 000002
【特許請求の範囲】
【請求項１】
下階建物ユニットの上部に設置されるバルコニーユニットにおいて、
下階建物ユニットの天井梁の上部に搭載される四周床枠を角パイプで形成し、
角パイプの下面であって、下階建物ユニットの天井梁より広幅の下面に床小梁の端部を固定し、
角パイプの上面に手摺壁パネルを立てたことを特徴とするバルコニーユニット。
【請求項２】
前記手摺壁パネルの柱脚を角パイプの上面であって、下階建物ユニットの天井梁より広幅の上面にボルト締結してなる請求項１に記載のバルコニーユニット。
【請求項３】
前記角パイプからなる四周床枠のコーナー部にコーナー部材を設け、このコーナー部材を下階建物ユニットの上部にボルト締結してなる請求項１又は２に記載のバルコニーユニット。
【発明の詳細な説明】
【技術分野】
【０００１】
本発明はバルコニーユニットに関する。
【背景技術】
【０００２】
ユニット建物に用いられるバルコニーユニットとして、特許文献１に記載の如く、下階建物ユニットの天井フレーム内に落とし込まれる床パネルを有することにより、バルコニーの床レベルを下げ、上階居室からバルコニーへの出入りをし易くしたものがある。
【特許文献１】特開2005-155249
【発明の開示】
【発明が解決しようとする課題】
【０００３】
特許文献１のバルコニーユニットでは、床パネルの床梁をＺ形鋼からなるものとし、床梁の上フランジを下階建物ユニットの天井フレーム上に載せ、床梁の下フランジを下階建物ユニットの天井フレーム内に落とし込む。床梁がＺ形鋼であるが故に、バルコニーが大型化したときに、十分なフレーム剛性が得られない。
【０００４】
本発明の課題は、バルコニーユニットにおいて、床枠に十分なフレーム剛性を確保するとともに、バルコニーの床レベルを下げることにある。
【課題を解決するための手段】
【０００５】
請求項１の発明は、下階建物ユニットの上部に設置されるバルコニーユニットにおいて、下階建物ユニットの天井梁の上部に搭載される四周床枠を角パイプで形成し、角パイプの下面であって、下階建物ユニットの天井梁より広幅の下面に床小梁の端部を固定し、角パイプの上面に手摺壁パネルを立てたものである。
【０００６】
請求項２の発明は、請求項１の発明において更に、前記手摺壁パネルの柱脚を角パイプの上面であって、下階建物ユニットの天井梁より広幅の上面にボルト締結してなるようにしたものである。
【０００７】
請求項３の発明は、請求項１又は２の発明において更に、前記角パイプからなる四周床枠のコーナー部にコーナー部材を設け、このコーナー部材を下階建物ユニットの上部にボルト締結してなるようにしたものである。
【発明の効果】
【０００８】
（請求項１）
(a)床枠を角パイプからなるものとしたことで、バルコニーが大型化したときにも、床枠に十分なフレーム剛性を確保できる。
【０００９】
(b)床枠を構成する角パイプに下階建物ユニットの天井梁より広幅の下面を備えたものとしたから、角パイプを下階建物ユニットの天井梁の上部に搭載しながら、床小梁の端部を下階建物ユニットの天井梁に干渉することなく、角パイプの下面に固定できる。また、床小梁の端部を角パイプの下面に固定したから、バルコニーの床レベルを下げ、上階居室からバルコニーへの出入りをし易くできる。
【００１０】
(請求項２)
(c)手摺壁パネルの柱脚を角パイプの上面であって、下階建物ユニットの天井梁より広幅の上面に立てるから、手摺壁パネルの柱脚を複数ヵ所（例えば２ヵ所）で角パイプの上面に強固にボルト締結でき、手摺のゆれを防止できる。
【００１１】
（請求項３）
(d)床枠の角パイプが交差するコーナー部に設けたコーナー部材を下階建物ユニットの上部にボルト締結することにより、バルコニーユニットを下階建物ユニットの上部に強固に設置できる。
【発明を実施するための最良の形態】
【００１２】
図１はユニット建物の要部を示し、（Ａ）は模式平面図、（Ｂ）は模式斜視図、図２は図１（Ａ）のII−II線に沿うバルコニーの断面図、図３は図２の要部拡大図、図４はバルコニーユニットの床枠を示す平面図、図５は図４のV−V線に沿う断面図、図６は図４のVI−VI線に沿う矢視図、図７は図４の要部拡大図、図８は床枠の取付状態を示し、（Ａ）は側面図、（Ｂ）は平面図、図９は下階建物ユニットとバルコニーユニットを示す模式斜視図である。
【実施例】
【００１３】
図１は、ユニット建物１の一部を示したものである。ユニット建物１は、工場生産された複数の建物ユニット１０を現地の基礎上にて左右上下に隣接設置されたものである。ユニット建物１は、図１の部分で、相隣る３個の下階建物ユニット１０Ａのそれぞれの上部に、バルコニーユニット２０Ａ、２０Ｂ、上階建物ユニット１０Ｂのそれぞれを設置し、両バルコニーユニット２０Ａ、２０Ｂによりバルコニー２０を形成している。上下の対応するユニットはそれらの平面サイズを同一にしている。
【００１４】
ユニット建物１０（１０Ａ、１０Ｂ）は、図２、図３、図９に示す如く、４本の角鋼管等からなる柱１１の下部に、Ｃ形鋼等からなる床梁１２（不図示）にて枠組された床フレーム１２Ａ（不図示）を接合するとともに、柱１１の上部に、Ｃ形鋼等からなる天井梁１３にて枠組された天井フレーム１３Ａを接合した箱形骨組構造体である。尚、図２、図３において、１４は外壁、１５は天井根太、１６は天井面材である。
【００１５】
バルコニーユニット２０Ａは、図２、図３に示す如く、下階建物ユニット１０Ａの天井梁１３の上部に搭載される四周床枠３０を角パイプ３１、３２で形成している。床枠３０は、図４〜図７に示す如く、長辺側の桁角パイプ３１と短辺側の妻角パイプ３２を交差配置し、それらのコーナー部に四角ます状のコーナー部材３３を設けている。桁角パイプ３１は下階建物ユニット１０Ａの天井梁１３より広幅とし、妻角パイプ３２は桁角パイプ３１より狭幅、かつコーナー部材３３の一辺と同一幅にしている。従って、妻角パイプ３２の端部をコーナー部材３３の側部に溶接等で固定し、桁角パイプ３１の端部を妻角パイプ３２とコーナー部材３３の側部に溶接等で固定する。尚、コーナー部材３３は上部開口の有底ます状体であり、コーナー部材３３の底面３３Ａは下階建物ユニット１０Ａの柱１１の上端部にボルト締結される。
【００１６】
床枠３０は、相対する桁角パイプ３１、３１の下面であって、下階建物ユニット１０Ａの天井梁１３より広幅の下面に妻床小梁３４の両端部のそれぞれを溶接等で固定する。床枠３０は、両妻角パイプ３２のそれぞれと、この妻角パイプ３２に相隣る妻床小梁３４に短尺の桁床小梁３５を架け渡すように、桁床小梁３５の一端部を妻角パイプ３２の側面に突き合せて溶接等で固定し、桁妻小梁３５の他端部を妻床小梁３４の上面に載せて溶接等で固定する。床枠３０は、後述する手摺壁パネル４０が設置される桁角パイプ３１と、この桁角パイプ３１に相隣る桁床小梁３５に短尺の妻床小梁３６を架け渡すように、妻床小梁３６の一端部を桁角パイプ３１の下面に溶接等で固定し、妻床小梁３６の他端部を桁床小梁３５の下面に溶接等で固定する。床枠３０において、妻床小梁３４、３６の上には複数本の根太３７が載せ置きされて支持され、根太３７の上に合板等からなる床面材３８が釘打等により固定される。尚、床面材３８は手摺壁パネル４０が設けられる桁角パイプ３１に向かう妻方向に下り勾配をなし、その下り勾配端に樋３９を埋込む如くに設置される。
【００１７】
バルコニーユニット２０Ａは、床枠３０の角パイプ３１、３２上で、相隣るバルコニーユニット２０Ｂに接する部分を除き、左右両側の妻角パイプ３２と前側の桁角パイプ３１の上面に手摺壁パネル４０を立てる。手摺壁パネル４０は角鋼管等からなる中空の柱４１の柱脚４１Ａをそれらの角パイプ３１、３２の上面の複数位置（図４で○で囲んだ位置）にボルト締結される。前側の桁角パイプ１３の上面であって、下階建物ユニット１０Ａの天井梁１３より広幅の上面には、図３に示す如く、柱４１の柱脚４１Ａが２本のボルト４１Ｂにより強固にボルト締結される。手摺壁パネル４０は、角柱４１の内外に内壁４２と外壁４３が取着され、各柱４１の上端部に手摺４４を取着して備える。
【００１８】
バルコニーユニット２０Ａは、図９に示す如く、下階建物ユニット１０Ａの天井梁１３の上に床枠３０の角パイプ３１、３２を載せ置き、床枠３０のコーナー部に対応する手摺壁パネル４０の柱４１の中空部に、図８に示す締結工具５０に保持したボルト５１を挿入し、このボルト５１を床枠３０のコーナー部材３３の底面３３Ａに設けてあるボルト挿通孔を通し、下階建物ユニット１０Ａの柱１１の柱頭に設けてある裏ナット等のねじ部に締結する。これにより、バルコニーユニット２０Ａは下階建物ユニット１０Ａの上部に設置される。
【００１９】
バルコニーユニット２０Ｂも、バルコニーユニット２０Ａと実質的に同様に構成され、バルコニーユニット２０Ａにおけると同様の床枠３０を有し、床枠３０の左右両側の妻角パイプ３２の上面の複数位置に、手摺壁パネル４０の柱４１の柱脚４１Ａをボルト締結して構成される。
【００２０】
バルコニーユニット２０Ｂも、バルコニーユニット２０Ａと同様にして下階建物ユニット１０Ａの上部に設置される。相隣る下階建物ユニット１０Ａ、１０Ａの上に設けられたバルコニーユニット２０Ａ、２０Ｂは、広いバルコニー２０を形成するように、それらの下り勾配をなす床面材３８を連続化し、それらの床面材３８の上面に連続的に敷設される防水材６０を樋３９にまで延在する。
【００２１】
本実施例によれば以下の作用効果を奏する。
(a)床枠３０を角パイプ３１、３２からなるものとしたことで、バルコニー２０が大型化したときにも、床枠３０に十分なフレーム剛性を確保できる。
【００２２】
(b)床枠３０を構成する角パイプ３１に下階建物ユニット１０Ａの天井梁１３より広幅の下面を備えたものとしたから、角パイプ３１を下階建物ユニット１０Ａの天井梁１３の上部に搭載しながら、床小梁３４、３６の端部を下階建物ユニット１０Ａの天井梁１３に干渉することなく、角パイプ３１の下面に固定できる。また、床小梁３４、３６の端部を角パイプ３１の下面に固定したから、バルコニー２０の床レベルを下げ、上階居室からバルコニー２０への出入りをし易くできる。
【００２３】
(c)手摺壁パネル４０の柱脚４１Ａを角パイプ３１の上面であって、下階建物ユニット１０Ａの天井梁１３より広幅の上面に立てるから、手摺壁パネル４０の柱脚４１Ａを複数ヵ所（例えば２ヵ所）で角パイプ３１の上面に強固にボルト締結でき、手摺４４のゆれを防止できる。
【００２４】
(d)床枠３０の角パイプ３１、３２が交差するコーナー部に設けたコーナー部材３３を下階建物ユニット１０Ａの上部にボルト締結することにより、バルコニーユニット２０Ａ、２０Ｂを下階建物ユニット１０Ａの上部に強固に設置できる。
【００２５】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００２６】
【図１】図１はユニット建物の要部を示し、（Ａ）は模式平面図、（Ｂ）は模式斜視図である。
【図２】図２は図１（Ａ）のII−II線に沿うバルコニーの断面図である。
【図３】図３は図２の要部拡大図である。
【図４】図４はバルコニーユニットの床枠を示す平面図である。
【図５】図５は図４のV−V線に沿う断面図である。
【図６】図６は図４のVI−VI線に沿う矢視図である。
【図７】図７は図４の要部拡大図である。
【図８】図８は床枠の取付状態を示し、（Ａ）は側面図、（Ｂ）は平面図である。
【図９】図９は下階建物ユニットとバルコニーユニットを示す模式斜視図である。
【符号の説明】
【００２７】
１０Ａ  下階建物ユニット
１３  天井梁
２０Ａ、２０Ｂ  バルコニーユニット
３０  床枠
３１、３２  角パイプ
３３  コーナー部材
３４、３６  床小梁
４０  手摺壁パネル
４１Ａ  柱脚
【図１】
2008088666.tif 000003
【図２】
2008088666.tif 000004
【図３】
2008088666.tif 000005
【図４】
2008088666.tif 000006
【図５】
2008088666.tif 000007
【図６】
2008088666.tif 000008
【図７】
2008088666.tif 000009
【図８】
2008088666.tif 000010
【図９】
2008088666.tif 000011